(57)【特許請求の範囲】
【請求項１】
握り部と、その握り部の前端から下方に延びる空洞の支点部と、その支点部の下端から前方に延び、電熱ヒーターを備えたプレート部とを有し、２分割した半体同士を合わせて接合することにより形成される本体と、
前記握り部の対向して下方にくるレバー部と、そのレバー部の前端の上部から前方に延びる支点部と、支点部の前端から前方に延び、電熱ヒーターを備えたプレート部とを備えた挟み部材とからなり、
前記本体の支点部の前面と、支点部の後面から握り部の前端の下部にかけて開口部が形成されており、
前記本体の支点部の内部の側壁には、円筒状の軸受け部と、バネの上端を受けるバネ受けが形成されており、
前記挟み部材の支点部は、プレート部を連結する前部分と、回動軸およびバネの下端を受けるバネ穴を備えた後部分とからなり、
前記本体のバネ受けと挟み部材のバネ穴との間に、プレート部同士を互いに離す方向に付勢するバネが介在されており、
前記本体の軸受部に挟み部材の回動軸を合わせ、本体の開口部に挟み部材の支点部を通した状態で、本体の半体同士を一体に結合したものである、ヘアーアイロン。
【請求項２】
前記本体および（または）挟み部材のプレート部の周縁に沿って突条が形成されている請求項１記載のヘアーアイロン。
【請求項３】
前記本体および（または）挟み部材のプレート部の周縁から外面にかけてフロッキー処理が行われている請求項１記載のヘアーアイロン。
【請求項４】
電熱ヒーターが通電されているときに所定の間隔で点滅するパイロットランプを備えている請求項１記載のヘアーアイロン。
【発明の詳細な説明】
【０００１】
【発明の属する技術分野】
本発明はヘアーアイロンに関する。さらに詳しくは、毛髪に対して加熱・加圧によるプレス操作を行うために使用するヘアーアイロンに関する。
【０００２】
【従来の技術】
従来、毛髪にストレートパーマを施術する際には、パーマ第１液を毛髪に塗付した後、毛髪をパネルと呼ばれるプラスチック板に乗せてコーム（櫛）の背でしごきながら引きそろえるか、あるいはコームのみで引きそろえる。この操作は一般にストレーナー操作と呼ばれており、毛髪を引きそろえることによって毛髪のキューティクルを毛先まで均一に整え、毛髪の表面を艶のある滑らかな面に仕上げることを目的とするものである。しかしながらパネルを使用する場合は、毛髪が多大な損傷を受ける。また、コームのみによる場合はキューティクルを均一に整えることができず、確実性に欠ける問題がある。
【０００３】
【発明が解決しようとする課題】
本発明は上記パネルを用いる場合よりも毛髪にやさしく、かつコームを用いる場合よりも確実に毛髪にストレーナ操作などを行うことができる器具を提供することを課題とするものである。
【０００４】
【課題を解決するための手段】
本発明のヘアーアイロンは、握り部と、その握り部の前端から下方に延びる空洞の支点部と、その支点部の下端から前方に延び、電熱ヒーターを備えたプレート部とを有し、２分割した半体同士を合わせて接合することにより形成される本体と、前記握り部の対向して下方にくるレバー部と、そのレバー部の前端の上部から前方に延びる支点部と、支点部の前端から前方に延び、電熱ヒーターを備えたプレート部とを備えた挟み部材とからなり、前記本体の支点部の前面と、支点部の後面から握り部の前端の下部にかけて開口部が形成されており、前記本体の支点部の内部の側壁には、円筒状の軸受け部と、バネの上端を受けるバネ受けが形成されており、前記挟み部材の支点部は、プレート部を連結する前部分と、回動軸およびバネの下端を受けるバネ穴を備えた後部分とからなり、前記本体のバネ受けと挟み部材のバネ穴との間に、プレート部同士を互いに離す方向に付勢するバネが介在されており、前記本体の軸受部に挟み部材の回動軸を合わせ、本体の開口部に挟み部材の支点部を通した状態で、本体の半体同士を一体に結合したものであることを特徴としている。
【０００５】
このようなヘアーアイロンでは、本体および（または）挟み部材のプレート部の周縁に沿って突条が形成されているのが好ましく、さらに本体および（または）挟み部材のプレート部の周縁から外面にかけてフロッキー処理（植毛加工）が行われているものが一層好ましい。さらに、電熱ヒーターが通電されているときに所定の間隔で点滅するパイロットランプを備えているものが一層好ましい。
【０００６】
【作用および発明の効果】
本発明のヘアーアイロンは、親指と人差し指などで本体の握り部を握り、薬指と小指などで挟み部材のレバーを挟み、ペンチを操作する要領でレバーを開閉操作すると、挟み部材のプレート部を本体のプレート部に押し付けたり、離したりすることができる。またヒーターに通電すると、本体および挟み部材のプレート部の温度が上昇する。したがって毛髪のいくらかの束を片手で取り分けて、他方の手にもったヘアーアイロンの本体および挟み部材のプレート部同士の間に毛髪を挟み込むことにより、毛髪の温度を上昇させ、同時に平坦に加圧することができる。またその状態で軽く毛髪をしごくことにより、ストレーナー操作を施すことができる。
【０００７】
このように本発明のヘアーアイロンは、加熱しながらストレーナー処理ができるので、パーマ第１液の濃度が低くてもしっかりしたストレーナー処理を行うことができる。そのため前記パネルによる強いしごき処理を行う場合よりも毛髪にやさしく、すなわち毛髪を損傷することなく、かつ、コームによる場合よりも確実にストレーナー処理を行うことができる。
【０００８】
プレート部同士を互いに離す方向に付勢するバネを備えているヘアーアイロンでは、握り部とレバー部とを把持する力の強弱だけでプレート部を開閉することができ、しかもプレス圧の調整も容易である。前記本体や挟み部材のプレート部の周縁に沿って突条が形成されているものは、各プレート部の温度が上昇しても、それらの突条は周囲の空気に冷やされて他の部分よりは温度が低くなる。そのため誤って肌に当たっても、それほど熱く感じない。さらにプレート部の周縁から外面にかけてフロッキー処理が行われているものは、伝熱作用が低いので、少し肌に当たっただけではそれほど熱く感じない。
【０００９】
前記本体が左右の中央面によって分かれる２部品により製造され、左右に分かれた支点部の半体同士の間に挟み部材の支点部を回転自在に挟んだ後、一体に結合したものであるものは、挟み部材をしっかり本体に保持することができる。電熱ヒーターが通電されているときに所定の間隔で点滅するパイロットランプを備えているものは、毛髪の一箇所を挟み込んで加熱加圧処理するとき、使用者はその点滅を数えるだけで処理の時間を簡単に計ることができる。
【００１０】
【発明の実施の形態】
つぎに図面を参照しながら本発明のヘアーアイロンの実施の形態を説明する。図１は本発明のヘアーアイロンの一実施形態を示す斜視図、図２はその組み立て前の斜視図、図３は図２の挟み部材の組立前の状態を示す斜視図、図４ａは図２のIV-IV 線断面図、図４ｂは図３の矢印V 方向から見た挟み部材の背面図、図５ａおよび図５ｂはそれぞれそのヘアーアイロンの一部切り欠き側面図および平面図、図６はそのヘアーアイロンの使用状態を示す説明図である。
【００１１】
図１に示すヘアーアイロンＡは、本体１と、その本体に回動自在に結合されている挟み部材２とから構成されている。本体１は、握り部４と、その握り部の前端から下方に延びる支点部５と、その支点部５の下端から前方に延びるプレート部６とを有する。本実施形態では、図２に示すように、本体１は左右に２分割した半体１ａ、１ｂとして成形され、半体同士を合わせて接合することにより、一体の本体１となる。本体１のプレート部６には矩形状の凹所７が設けられ、その凹所内に面状のヒーターＨを収容したプレート８が表面が露出する状態で収容される。なお凹所７の側壁には凹溝７ａが形成されており、プレート８の側面の突条８ａと嵌合して外れにくいようにしている。前記支点部５および握り部４も内部が空洞になっており、ヒーターＨを加熱する電源コード（図５ａの符号２５参照）が通され、ON-OF スイッチ（図５ａの符号Ｓ）を介して握り部４の後端などから外部に出るようにしている。
【００１２】
さらに支点部５の前面と、支点部５の後面から握り部４の前端の下部にかけて、それぞれ挟み部材２を通すための矩形状の開口部９、１０が形成されている。また、支点部５の内部の側壁には、挟み部材２を回動自在に支持するための円筒状の軸受け部１１と、バネ１２の上端を受けるバネ受け１３とが突設されている。バネ１２は図５ａに示すように、挟み部材２をその前端側が常時開くように回動付勢するものである。プレート部６の周囲には、断面半円状の突条１４が設けられている。本体１はたとえば耐熱性の合成樹脂成型品とすることができる。また場合により、アルミニウムや亜鉛などの金属のダイキャストにより製造することも可能である。
【００１３】
他方、挟み部材２は、図１のように組み立てたときに本体１の握り部４の下方に来るレバー部１５と、そのレバー部１５の前端の上部から前方に延びる支点部１６と、支点部１６の前端から前方に延びるプレート部１７とを備えている。本実施形態の挟み部材２では、図３に示すように、プレート部１７が左右に分割されて製造され、プレート部１７の一方の半体１７ａが支点部１６の前端に連結された状態で一体成形されている。そして他方の半体１７ｂはヒーターＨおよびプレート１８を収容した後に接合されるようにしている。挟み部材２のプレート部１７についても、その周囲に突条１４が設けられている。さらにプレート部１７にはプレート１８を収容する凹所１９が設けられ、その凹所１９の側壁にプレート１８の突条１８ａと嵌合する凹溝２０が形成されている（図４ｂ参照）。
【００１４】
挟み部材２の支点部１６の後部分１６ｂは、前部分１６ａより下側にずらせた形態にしている。そして前部分１６ａは図４ｂに示すように、コ字状にされており、他方の半体１７ｂの後部に突出する支持片１６ｃを嵌合した上で、ビスなどで固定するようにしている。支点部１６の後部分１６ｂには、水平方向の孔２１が形成されている。この孔２１は、挟み部材２を本体１に回動自在に連結する回動軸２２が通される部分である。また、その孔２１の後方に縦向きの有底の穴２３が形成されている。この穴２３はバネ１２の下部を収容保持するためのものである。
【００１５】
挟み部材２のレバー部１５は中央部で折れ曲がり、後端側が斜め下方に延びるようにしている。それにより薬指や小指をしっかりとかけることができる。挟み部材２も本体１と同じように、たとえば耐熱性の合成樹脂成型品とすることができる。また場合により、アルミニウムや亜鉛などの金属のダイキャストとすることも可能である。
【００１６】
上記の本体１および挟み部材２のプレート部６、１７の側面から表面にかけては、フロッキー処理（植毛加工）を行って、肌に当たったときに感ずる熱を緩和するようにしている。フロッキー処理は、プレート部の表面をナフサで溶かし、ナイロンパイル繊維を垂直に立たせるように植毛するなどにより行うことができる。さらにプレート８、１８の表面側にはテフロン加工などの摩擦を低減する表面処理を行うことにより、毛髪の滑りをよくしている。またテフロン加工を行うことにより、非粘着性、耐熱性、耐食性を向上させることができる。
【００１７】
上記のごとく構成される本体１および挟み部材２は、まず挟み部材２のプレート部１７の半体１７ａにヒーター１８を収容し、他方の半体１７ｂを結合して挟み部材２を組み立てる（図３参照）。なお、一方の半体にピン状の突起を設けておき、他方の半体に形成した穴に嵌合させて、位置決めおよび結合強度の向上を図るようにするのが好ましい（図４ａ、図４ｂ参照）。場合により接着剤を使用してもよい。ついで回動軸２２を挟み部材２の支点部１６の孔２１に嵌合させる。さらに本体１の半体１ａのプレート部６にヒーター８を収容し、バネ１２を穴２３に収容した後、本体１の支点部５の軸受け部１１に回動軸２２を嵌合させ、開口部９、１０に支点部１６を通した状態で、本体１の他方の半体１ｂを一体に結合する。それにより図１および図５ａ、図５ｂに示すヘアーアイロンＡが得られる。
【００１８】
なお図１および図５ｂの符号２４はヒーターＨに通電していることを示すパイロットランプである。そのパイロットランプ２４は発光ダイオードなどから構成され、ヒータＨに通電している時に常時点灯するモードと、一定時間ごと、たとえば１秒ごとに点灯（あるいは消灯）する点滅モードとを切り換えることができるようにしている。後者のモードに切り換えた場合、使用者は、一束の毛髪にプレス処理をしている時間を容易に計ることができる。図５ａの符号２５は電源コードであり、その電源コードの先端にプラグが連結され、途中に温度調節ダイヤルを備えたコントローラが設けられている。またヒーターＨ自体、あるいはその近辺に温度検出センサを設け、コントローラに設けた温度調節ダイヤルおよび温度制御回路により、ヒーターＨに流れる電流（あるいは電圧）を制御し、その温度を温度調節ダイヤルで設定した温度に維持するように構成している。温度調節ダイヤルはたとえば６０〜１８０℃の範囲で任意の温度に設定できるボリュームダイヤルである。なお、使用頻度が高い温度については、クリック感と共に一時的に係止させるデテント機構を設け、ダイヤルが勝手にずれないようにしている。前述のパイロットランプ２４の点滅制御回路なども、そのコントローラに収容している。
【００１９】
上記のようにして組み立てられたヘアーアイロンＡは、たとえば図６に示すように、本体１の握り部４が上になるようにして親指と人差し指などで保持し、左手でスライスした毛髪Ｂの束をプレート部の間に挟み、レバーを薬指と小指などで引き寄せて加圧する。それにより毛髪を適切な温度に加熱しながら加圧するプレス処理を行うことができる。加圧時間はパイロットランプ２４の点滅により、たとえば数秒間を容易に計ることができる。なお、毛髪Ｂを軽く挟み付けた状態で毛先にむかってスライドさせることにより、ストレーナー操作を行うこともできる。そのときのスライスの幅は１〜３ｃｍ程度が適当である。ヘアーアイロンＡをスライドさせるときは、左手で毛髪Ｂを把持し、軽く下側に引っ張ってテンションをかけるのが好ましい。
【００２０】
上記のヘアーアイロンＡでは、本体１と挟み部材２のプレート部６、１７の間に毛髪を挟んで加熱加圧するので、部分的な癖毛なども容易に修正することができる。また本体１と挟み部材２の両方のプレート部６、１７にそれぞれヒーターを収容しているので、挟み込んだ毛髪Ｂの束の上下両面を一度に、かつ均一にプレスすることができる。また、本体１と挟み部材２はプレート部６、１７同士がバネ１２により開くので、加圧力の調整が容易である。さらにヘアーアイロンＡのプレート部６、１７の表面（ヒーターＨおよびプレート８、１８が入っている面の反対の外側の面）および側面にはフロッキー処理が行われており、しかもプレート部６、１７の側面に突条１４が形成されているので、誤ってプレート部６、１７の表面や側面が肌に当たっても、それほど熱く感じない。
【００２１】
つぎに上記のヘアーアイロンＡを用いてストレートパーマをかける場合を説明する。まず、毛髪にストレートパーマ用の第１液を塗布し、その状態で放置して、第１液を毛髪に充分になじませ、第１液で毛髪を還元して軟化させる。つぎに軟化テストを行って所望の軟化度に達したことを確認した後、中間水洗して毛髪に付着している薬剤を洗い流す。その後、毛髪の水分を充分にとった上で、上記のストレーナー処理を行う（１スライスにつきストレーナー操作を２〜３回繰り返す）。ついで第２液を塗布し、放置して第２液で毛髪を酸化し、毛髪をストレートに伸ばした状態で毛髪の弾性を復元させることにより、ストレートパーマ処理が完了する。
【００２２】
このストレートパーマ処理において、ストレーナー処理は主として毛先までキューティクルを均一に整えて毛髪の表面を艶のある滑らかな面にするのを目的として実施される。
【００２３】
上記の実施形態では、挟み部材２を本体１に形成した開口部９、１０に貫通させているが、通常のハサミのように両者を単に重ねて回転軸で止めるようにしてもよい。
【図面の簡単な説明】
【図１】  本発明のヘアーアイロンの一実施形態を示す斜視図である。
【図２】  そのヘアーアイロンの組み立て前の斜視図である。
【図３】  図２の挟み部材の組立前の状態を示す斜視図である。
【図４】  図４ａは図２のIV-IV 線断面図であり、図４ｂは図３の矢印V 方向から見た挟み部材の背面図である。
【図５】  図５ａおよび図５ｂはそれぞれそのヘアーアイロンの一部切り欠き側面図および平面図である。
【図６】  そのヘアーアイロンの使用状態を示す説明図である。
【符号の説明】
Ａ  ヘアーアイロン
１  本体
２  挟み部材
４  握り部
５  支点部
６  プレート部
７  凹所
Ｈ  ヒーター
８  プレート
９  開口部
１０  開口部
１１  軸受け部
１２  バネ
１３  バネ受け
１４  突条
１５  レバー部
１６  支点部
１７  プレート部
１８  プレート
１９  凹所
２１  孔
２２  回動軸
２３  穴
２４  パイロットランプ
【図１】
0004227219.tif 000002
【図２】
0004227219.tif 000003
【図３】
0004227219.tif 000004
【図４】
0004227219.tif 000005
【図５】
0004227219.tif 000006
【図６】
0004227219.tif 000007